(57)【特許請求の範囲】
【請求項１】
トリマー（４）として構成された少なくとも１つの第１切断システム用の駆動モータ（２）を保持する筐体（１）であって、トリマー（４）は、歯の列を有するとともにそれぞれ互いに対して駆動可能な少なくとも２つの刃部（７、８）を有する、筐体（１）と、少なくとも１つの鋭利なかみそりの刃（２２）を有する少なくとも１つの他の第２切断システムとを有する脱毛装置であって、第２切断システムは、筐体（１）上で移動可能に案内されるとともにユーザによる対応する切り換え運動により少なくとも２つの異なる位置に調節可能である運搬要素（１９）上に配置され、前記トリマーは、常に駆動モータ（２）に連結され、前記運搬要素は、その変位が直線又は曲線経路に従うように、前記筐体上に変位可能に案内され、前記歯の列の歯の先端部が、少なくとも１つの前記かみそりの刃（２２）の縁と本質的に同じ方向に整列し、前記トリマー（４）は、使用時に装置が引っ張られる方向において、少なくとも１つの前記かみそりの刃（２２）の鋭利な縁の前に置かれることを特徴とする、脱毛装置。
【請求項２】
トリマー（４）が筐体（１）上で固定位置に配置されているトリマーくし状部（７）を有することを特徴とする、請求項１に記載の装置。
【請求項３】
トリマー（４）が前記トリマーくし状部（７）に対して振動変位するトリマーの刃（８）を有することを特徴とする、請求項２に記載の装置。
【請求項４】
第２切断システムが、共通のキャリア（２１）上に配置された複数のかみそりの刃（２２）を有することを特徴とする、請求項１〜３のいずれか一項に記載の装置。
【請求項５】
第２切断システムをスペーサくし状部（２５）で覆うことができることを特徴とする、請求項１〜４のいずれか一項に記載の装置。
【発明の詳細な説明】
【技術分野】
【０００１】
本発明は、請求項１のプリアンブルによる脱毛装置に関する。
【背景技術】
【０００２】
このような脱毛装置は、例えば、国際公開第２００５／１０２６２３（Ａ２）号公報から既知であり；この公報は、電動トリマーも取り付けられた本質的に公知の湿式シェーバーを開示しているためである。このトリマーは湿式シェーバーのハンドル上で変位可能に又は枢動可能に取り付けられ、その可動トリマー刃は連結装置を備え、これは湿式シェーバーのハンドルに対する変位又は枢動後電気駆動部に係合し、それによりトリマー配置の操作を開始させる。トリマーが、この使用位置から駐止（park）位置に戻るとき、可動トリマー刃は、再び電気駆動から解放され、その結果もはや固定トリマー刃に対する運動を実行しない。
【０００３】
電気駆動を備えるトリマー装置のこの位置依存性連結及び／又は解放は、それほど複雑ではなく、加えて切断システムのエラーの原因である可能性がある。しかしながら、この基本的な問題は、操作中、脱毛装置がまた、水、シェービングクリーム及びその中に含まれるあごの無精ひげに常に曝されるという事実により、更に補足される。
【先行技術文献】
【特許文献】
【０００４】
【特許文献１】国際公開第２００５／１０２６２３（Ａ２）号公報
【発明の概要】
【発明が解決しようとする課題】
【０００５】
本発明の目的は、それ故、脱毛装置がまた特に容易にかつ安価に製造できるように、長期間、安全に使用できるよう構成された特に単純な構成を特徴とする、上述の型の脱毛装置を作製することである。
【課題を解決するための手段】
【０００６】
この目的は、請求項１の特徴機構により、本発明によって達成される。
【０００７】
本発明の手法により、電気駆動との連結位置に前と同じ動きをすることなく、電気駆動トリマーを使用することが可能になる。本発明の手法を通じて、必要な構成要素、具体的には互いに対して移動可能な構成要素の数を減らすことが可能である。運搬要素は、変位が直線及び／又は曲線経路に従ってよいように、筐体上に有利に変位可能に案内される。これにより、ユーザは簡単に位置決めすることが可能になり、その結果、異なる操作位置への位置決めは、変位経路に沿って配置される対応する捕捉要素により更に単純化することができる。あるいは又は更に、筐体上の運搬要素の枢動可能な支持体も可能であり、それにより第２切断システムを位置決めするための追加の設計オプション部品を作製できる。
【０００８】
本発明の特に単純な実施形態によると、トリマーは筐体上の固定位置に配置される。しかしながら、剃毛の快適性を向上させ、及び／又は、剃毛される皮膚の表面の輪郭にトリマーをより適合させることに対して快適性を向上させるために、トリマーが筐体上に遊動可能に取り付けられる場合が有利である。このような実施形態により、トリマーを、トリマーの弾性プレテンションに対する、ユーザによって適用される接触圧の関数として得ることが可能になる。
【０００９】
トリマーの歯の列の歯の先端部が、かみそりの刃の刃先と本質的に同じ方向に整列する場合、２つの切断システムを同時に使用することが可能になる。ここでトリマーはかみそりの刃の刃先の前に置かれるように配置され、シェーバーが引っ張られる方向に見られるように、その結果、トリマーにより、おおまかに剃毛される及び／又は毛が予め短くされ、かみそりの刃が残りの歯の剃毛を完了する。
【００１０】
また第２切断システムを、剃毛される皮膚の輪郭に最適に適合させるために、本発明の別の有利な実施形態は、運搬要素に枢動可能に及び／又は遊動可能に取り付けられる第２切断システムを備える。
【００１１】
完全な剃毛に関する本発明の最適な実施形態は、具体的には、共通のキャリア上に配置される複数のかみそりの刃を有する第２切断システムを提供する。この本質的に既知である多刃配置により、同じ数のかみそりの動作でより完全に剃毛される。
【００１２】
トリマーに設けられ、例えば国際公開第００／３７２２５（Ａ１）号公報から本質的に既知であるスペーサくし状部と併せて、本発明の脱毛装置は剃毛だけでなく、予め選択された長さに毛を刈り込むためにも用いてよい。
【００１３】
本発明の１つの実施形態は、それ故、このようなスペーサくし状部のための締結オプション部品を設ける。トリマーと剃毛される皮膚との間の特定の距離は、スペーサくし状部を用いて設定される。この距離は、次いで、残りの毛の長さを決定する。スペーサくし状部は、本質的に既知の方法で調節可能に構成されてよく、よってユーザは、１つのスペーサくし状部で異なる距離に調節することができ、したがって異なる残りの毛の長さに調節することができる。しかしながら、異なる長さのスペーサくし状部一式から所望の長さのスペーサくし状部を選択し、次いでそれを脱毛装置の筐体に取り付けることにより、残りの毛の長さを調節することも可能である。
【００１４】
第２の切断システムは、スペーサくし状部によって有利に完全に覆われ、それによりこの第２のシステムによって毛が不必要に短くなることを防ぐ。
【００１５】
本発明の更なる目標、機構及び可能な用途は、代表的な実施形態の以下の説明から導かれる。ここで図によって記載又は例示した機構は全て、単独又は任意の組み合わせで、請求項で組み合わせられているか、又は、先行する請求項に遡って参照されているかどうかとは無関係に、本発明の対象を構成する。
【図面の簡単な説明】
【００１６】
図面では、
【図１】それぞれ、第２の切断システムの運搬要素が挿入された位置にある、本発明の脱毛装置を貫く断面図。
【図２】それぞれ、第２の切断システムの運搬要素が挿入された位置にある、本発明の脱毛装置を貫く断面図。
【図３】運搬要素が最大限に引き出された位置にある、同様の断面図。
【図４】第２の切断システムを備える運搬要素が中間操作位置にある、本発明の脱毛装置の背面からの側面図及び斜視図。
【図５】第２の切断システムを備える運搬要素が中間操作位置にある、本発明の脱毛装置の背面からの側面図及び斜視図。
【図６】第２の切断システムを備える運搬要素が中間操作位置にある、本発明の脱毛装置の背面からの側面図及び斜視図。
【図７】図１によるトリマーの拡大図。
【発明を実施するための形態】
【００１７】
図１に断面の側面図で示した脱毛装置は、筐体１を有し、これは、電動モータ２及び電池３として具現化された電気エネルギー貯蔵機構を保持する。トリマー４は、筐体１の上端部５に配置されており、細長いデザインを有し、その切断要素が筐体の前面６の方向に向いている。図７は、拡大された縮尺の本質的に既知のデザインのトリマーを示す。トリマー４は、固定トリマーくし状部７及び駆動したトリマーの刃８を含み、トリマーの刃８はトリマーくし状部の真下に配置されている。トリマーくし状部７及びトリマーの刃８は両方、次々に列を成して配置された複数の爪を有するくしの形状に構成され、爪は図では左に向かって、すなわち、筐体の前面６の方向に整列している。トリマーくし状部７は筐体上に固定して取り付けられるが、一方それに平行に走るトリマーの刃８は、筐体の前部６の内部で、回転軸１１を画定する回転軸受１０について枢動するように取り付けられた揺れ腕９の端部に取り付けられる。トリマーの刃８に対向する揺れ腕９の端部に、旋回橋１４上に形成される駆動ピン１３に係合する、タペット１２が形成される（図１を参照）。回転させることができる電動モータ２の駆動軸１６上に配置されたカム１５は、この旋回橋１４に係合する。駆動軸１６の回転運動から、旋回橋１４は、図面の平面に対して直角に、直線振動運動を生み出す。筐体の前部６に設けられたオン／オフスイッチ１７は、それぞれ、電池３の電源に電動モータ２を接続し、その接続を切るよう機能する。電動モータ２のスイッチを入れたとき、回転駆動軸１６はカム１５とともに、旋回橋１４の振動運動を発生させ、これは揺れ腕９上のタペット１２に駆動ピンを介して伝えられる。これは、次に、回転軸１１についての揺れ腕９の振動枢動運動を導き、それにより、トリマーくし状部７に対するトリマーの刃８の振動変位を導き、その結果この切断システムの爪の間を通過する毛が切断される。
【００１８】
スライド１９として構成された運搬要素は、筐体の裏側１８上に配置され、よって垂直に変位可能である。この目的のために、ガイド（図示せず）はこれらの部分上に配置される。図１は、その下端位置にあるスライド１９を示す。刃のキャリア２１の容器２０は、スライド１９の上端に配置される。容器２０により、その上にいくつかの鋭利なかみそりの刃が配置された、刃のキャリア２１の取り付け及び取り外しが可能になる。容器２０は、上方に向けられたタペット２４を備える取り外しボタン２３を有する。容器２０に係合している刃のキャリア２１を取り外すために、取り外しボタン２３は上方に移動し、その結果タペット２４が刃のキャリア２１に作用し、それを容器２０から押し出す。
【００１９】
図１に示すスライド１９及び／又はかみそりの刃２２の操作位置は、かみそりの刃２２が筐体１の上端部５の後ろに保護されている、第２の切断システムのいわば駐止位置を表す。この駐止位置では、トリマー４のみを、毛を刈り込む又は取り除くために用いてよい。
【００２０】
図２は、駐止位置の、すなわち、図１に既に示した、かみそりの刃を備えるが、上端部５上に定置されたスペーサくし状部２５を備える、本発明の脱毛装置を示す。スペーサくし状部は、トリマー４と、既知の方法で剃毛されるべき毛との間の最小距離を画定し、その結果として、トリマー４を取り付けられたスペーサくし状部２５とともに用いるとき、毛をある程度にだけ刈り込むが、完全にすべすべした剪毛はもはや不可能になる。刈り込まれる毛は、トリマーくし状部７の爪及び／又はトリマーの刃８の範囲まで平行に走り、スペーサくし状部２５の前方部に配置されたスロット２６を通過してトリマー４に移動する。スペーサくし状部２５の後方部２７はかみそりの刃２２及び刃のキャリア２１を覆うことができ、その結果、それらは処理される皮膚の表面上の毛に接触することができない。
【００２１】
図３は、スライド１９がその最大限まで引き出された位置にある、すなわち、前方に向かって完全に引き出された操作状態の脱毛装置を示す。スライド１９のこの位置は、ユーザが第２の切断システム、すなわち、（湿式）剃毛用のかみそりの刃２２のみを使用したいとき、ユーザによってセットされる。この高く引き出された位置では、第２の切断システムは、かみそりの刃２２の使用中、不注意な皮膚の引っかき傷に関して、それ以上の危険が生じ得ないよう、トリマー４から非常に離れている。適切な電気的手段又は機械的手段（ここでは図示しない）を通して、スライド１９を確実に最大限まで引き出された位置にすることが可能であり、電動モータ２のスイッチを入れることはもはや不可能である。剃毛されるべき皮膚の輪郭にかみそりの刃２２を最適に適合させるため、刃のキャリア２１は、スライド１９及び／又は容器２０上の枢動軸２８について枢動するように取り付けられる。
【００２２】
図４〜６は、中間変位位置にあるスライド１９の切り換え状態にある本発明の脱毛装置を示し、これによりいわゆる「共同剃毛」のためにトリマー４とかみそりの刃２２の両方を同時に使用することが可能になる。図４に示すように、脱毛装置が、切り換え位置にあるスライド１９により、剃毛される皮膚の表面上を、矢印Ｐに従って引っ張られる場合、そこに存在する毛は、トリマー４により最初に刈り込まれ、残りの毛が、次いで、同じ動作中にかみそりの刃２２により完全に剃り落とされる。
【図１】
0005437430.tif 000002
【図２】
0005437430.tif 000003
【図３】
0005437430.tif 000004
【図４】
0005437430.tif 000005
【図５】
0005437430.tif 000006
【図６】
0005437430.tif 000007
【図７】
0005437430.tif 000008